(57)【要約】【課題】カウンターやテーブルに簡単に設置可能で、安心して対面でき、面倒な消毒作業を必要としない飛沫防止スタンドを提供する。【解決手段】左右の支柱11と、左右の支柱11間の上側に架設される水平部材12と、左右の支柱11をカウンター1の上面に安定姿勢に保持する支持部13を備えるスタンド本体10と、透視性を備え、上方からスタンド本体10の水平部材12および左右の支柱11に対し、左右の支柱11の途中まで、カウンター1の上面との間に対面作業用の対面開口部60を残して装着され、使用後にスタンド本体10から上方に取り外し可能なフィルム状透視カバー50を備える構成とする。【選択図】図１
0003227488.tif 000002
【実用新案登録請求の範囲】
【請求項１】
左右の支柱と、左右の支柱間の上側に架設される水平部材と、左右の支柱をカウンターまたはテーブルの上面に安定姿勢に保持する支持部を備えるスタンド本体と、
透視性を備え、上方から前記スタンド本体の水平部材および左右の支柱に対し、当該左右の支柱の途中まで、カウンターまたはテーブルの上面との間に対面作業用の対面開口部を残して装着され、使用後に当該スタンド本体から上方に取り外し可能なフィルム状透視カバーを備えることを特徴とする飛沫防止スタンド。
【請求項２】
支持部が、前記水平部材と平行に延びて左右の支柱の下端間に連結される第２の水平部材と、当該第２の水平部材に取り付けられる支持板を備え、
当該支持板は、後方に延びて上面に機器を載置する載置面が形成される薄板状の延長部を備えていることを特徴とする、請求項１記載の飛沫防止スタンド。
【請求項３】
フィルム状透視カバーの大きさに合わせて、水平部材の長さと左右の支柱の間隔および／または左右の支柱の高さが調整可能であることを特徴とする、請求項１または請求項２記載の飛沫防止スタンド。
【請求項４】
フィルム状透視カバーの大きさに合わせて、連結部により、一組または３台以上のスタンド本体が左右に連結可能であることを特徴とする、請求項１ないし請求項３のいずれか一項に記載の飛沫防止スタンド。
【請求項５】
フィルム状透視カバーが、透明で下端に袋状の開口部を備え、ポリエステル製で厚さ０．２ｍｍ未満の軟質性袋状部材からなることを特徴とする、請求項１ないし請求項４のいずれか一項に記載の飛沫防止スタンド。
【考案の詳細な説明】
【技術分野】
【０００１】
本考案は、薬局、病院、ホテル、官公庁、飲食店など各種施設のカウンターやテーブルに設置して好適な飛沫防止スタンドに関するものである。
【背景技術】
【０００２】
ウイルス感染の予防対策として、一般に、うがいや手洗いの徹底、マスクの着用が行われている。薬局や病院においては、医療従事者やスタッフが外来患者や入院患者と接する機会が多いことから、感染対策が特に講じられており、医療用のマスクだけでなく医療用の防護服を着用して医療に従事する場合が多い。
【０００３】
ウイルス感染の防止対策として、従来より、密着性が高く呼気弁を備えた防護マスク（特許文献１）、通気性および透視性を備えベッドを覆ったりすることが可能な抗ウイルス性透視カバー（特許文献２）、全身を覆い背面に脱着用の開閉部を備えた防護服（特許文献３）、装着および脱衣が容易で廃棄時に表面に付着したウイルスの飛散を防止できるガウン型の防護服（特許文献４）などが提案されている。
【先行技術文献】
【特許文献】
【０００４】
【特許文献１】特開２０１０−４２０８７号公報
【特許文献２】特開２０１１−２３４８６７号公報
【特許文献３】特開２０１９−３１７４８号公報
【特許文献４】実用新案登録第３１４３５９５号公報
【考案の概要】
【考案が解決しようとする課題】
【０００５】
上記の対策手段は、医療従事者やスタッフが個々に着用するものであるが、医療施設において、薬局の投薬カウンターや病院の受付カウンターでは、カウンター内の従事者やスタッフが、外来患者と対面しながら、投薬の説明を行ったり、会計を行わなければならず、カウンター越しに飛沫感染するおそれがある。
【０００６】
上記の飛沫防止対策として、所定の高さの透明なアクリル板をカウンターに設置したり、上から透明なビニールを吊り下げてカウンターとの間に所定の隙間を置くようにすることが考えられるが、これらの部材に飛沫が付着することから、これらの部材を消毒液で頻繁に消毒しなければならず、従事者やスタッフの負担が非常に大きい。
【０００７】
本考案は上記課題に鑑みてなされたもので、カウンターやテーブルに簡単に設置可能で、安心して対面でき、面倒な消毒作業を必要としない飛沫防止スタンドを提供することを目的とする。
【課題を解決するための手段】
【０００８】
上記課題を解決するために、本考案に係る飛沫防止スタンドは、
左右の支柱と、左右の支柱間の上側に架設される水平部材と、左右の支柱をカウンターまたはテーブルの上面に安定姿勢に保持する支持部を備えるスタンド本体と、
透視性を備え、上方から前記スタンド本体の水平部材および左右の支柱に対し、当該左右の支柱の途中まで、カウンターまたはテーブルの上面との間に対面作業用の対面開口部を残して装着され、使用後に当該スタンド本体から上方に取り外し可能なフィルム状透視カバーを備える、
ことを主要な特徴とする。
【０００９】
本考案に係る飛沫防止スタンドは、
支持部が、前記水平部材と平行に延びて左右の支柱の下端間に連結される第２の水平部材と、当該第２の水平部材に取り付けられる支持板を備え、
当該支持板は、後方に延びて上面に機器を載置する載置面が形成される薄板状の延長部を備えていることを第２の特徴とする。
【００１０】
本考案に係る飛沫防止スタンドは、
フィルム状透視カバーの大きさに合わせて、水平部材の長さと左右の支柱の間隔および／または左右の支柱の高さが調整可能であることを第３の特徴とする。
【００１１】
本考案に係る飛沫防止スタンドは、
フィルム状透視カバーの大きさに合わせて、連結部により、一組または３台以上のスタンド本体が左右に連結可能であることを第４の特徴とする。
【００１２】
本考案に係る飛沫防止スタンドは、フィルム状透視カバーが、透明で下端に袋状の開口部を備え、ポリエステル製で厚さ０．２ｍｍ未満の軟質性袋状部材からなることを第５の特徴とする。
【考案の効果】
【００１３】
以上説明したように、本考案に係る飛沫防止スタンドを投薬用、受付用の対面カウンターやテーブルに設置することにより、飛沫を防止しながら、対面する外来患者、利用者に対し、処方薬の説明、会計受付、施設の受付、相談などの応対業務を安心して行え、また、利用者、来店者は安心して訪問、来店できるという効果を奏する。
【００１４】
また、本考案に係る飛沫防止スタンドによれば、フィルム状透視カバーに市販のポリエステル袋を利用でき、毎日交換可能であり、アクリル板などと異なり、面倒で頻繁な消毒作業を必要とせず、医療従事者や事務従事者、スタッフの負担を軽減できるという効果を奏する。
【００１５】
さらに、本考案に係る飛沫防止スタンドによれば、飛沫防止効果の高いスタンドを、安価な費用で製作し、提供できるという効果を奏する。
【図面の簡単な説明】
【００１６】
【図１】本考案に係る第１の飛沫防止スタンドを示す全体図、
【図２】（Ａ）図１の飛沫防止スタンドに用いるスタンド本体の正面図、（Ｂ）同スタンド本体の側面図、
【図３】図１の飛沫防止スタンドの使用例を示す図、
【図４】図１の飛沫防止スタンドの透視カバーの交換方法を示す図、
【図５】本考案に係る第２の飛沫防止スタンドを示す全体図、
【図６】（Ａ）図５の飛沫防止スタンドに用いるスタンド本体の正面図、（Ｂ）同スタンド本体の側面図、
【図７】（Ａ）本考案に係る第３の飛沫防止スタンドを示す正面図、（Ｂ）同スタンドの側面図、
【図８】図７に示す飛沫防止スタンドの変形例を示す正面図、
【図９】図１に示す飛沫防止スタンドの連結使用例を示す正面図である。
【考案を実施するための最良の形態】
【００１７】
本考案を実施するための複数の実施形態について図面を参照して説明する。図１ないし図４は本考案に係る飛沫防止スタンドの第１実施形態を示すもので、これらの図において、符号Ｓ１は飛沫防止スタンドを示している。
【００１８】
図１に示すように、飛沫防止スタンドＳ１は、対面カウンターやテーブルに設置して使用するもので、図１は投薬カウンター（対面カウンター）１への設置例を示している。同図において、飛沫防止スタンドＳ１は、スタンド本体１０と、フィルム状透視カバー５０を備えている。
【００１９】
スタンド本体１０は、図１および図２に示すように、左右の支柱１１、１１と、左右の支柱１１、１１の上端間に架設される水平部材１２と、左右の支柱１１、１１を投薬カウンター１の上面に安定姿勢に保持する支持部１３、１３を備えている。各支持部１３は、支柱１１の下端に取付けられ前後に延びる脚部材１４と、脚部材１４に対し支柱１１を垂直に保持する前後の補強材１５から構成されている。
【００２０】
スタンド本体１０の大きさは、一例として高さ（ｈ）９０ｃｍ×幅（ｗ）６１ｃｍ×長さ（脚部材１４の長さｄ）４０ｃｍに設定されている。ただし、大きさは適宜変更可能である。スタンド本体１０は、木材で製作するが、素材は木製に限らず、合成樹脂製、アルミニウムなどの金属製とすることが可能である。
【００２１】
フィルム状透視カバー５０は、透明性（透視性）を備えたポリエステル製の軟質性のフィルム状素材からなり、全体が長方形状で下端に袋状の開口部５１を備えた袋体のもので、スタンド本体１０に上から被せて使用し、本実施形態では、外装した状態で投薬カウンター１の上面との間に対面作業用（処方薬などの受け渡し）の対面開口部６０を形成する。
【００２２】
フィルム状透視カバー５０の大きさは、一例として、スタンド本体１０の大きさ（高さ９０ｃｍ×幅６１ｃｍ）に合わせたサイズ（高さ８０ｃｍ×幅６５ｃｍ×厚み０．０４ｍｍ）を用いる。当該サイズは市販のポリエステル袋（４５Ｌ）を使用することができる。
【００２３】
図３は上記飛沫防止スタンドＳ１の使用例を示している。例えば、薬局において投薬カウンター１に飛沫防止スタンドＳ１を設置すると、投薬カウンター１の内側の薬剤師Ｙは、飛沫防止スタンドＳ１越しに投薬カウンター１の外側に着席している患者Ｋに対し、飛沫を防止しながら、処方薬の説明を行い、下部の開口部６０から処方薬を渡すことができる。また、患者Ｋは、飛沫を防止しながら、処方薬についての相談や質問を薬剤師Ｙに尋ねることができる。
【００２４】
使用済のフィルム状透視カバー５０は、新しいものと毎日交換することが可能である。図４に示すように、使用済の透視カバー５０は、上方に引き上げるだけでスタンド本体１０から容易に取り外しでき、また、新しい透視カバー２０は下端の開口部５１を開いて矢印のように上方からスタンド本体１０に装着することができる。
【００２５】
フィルム状透視カバー５０の交換頻度は、毎日交換することでもよいし、来訪者の数、対面頻度に合わせて、交換頻度を変更（例えば午前と午後に１回ずつ）してよい。アクリル板を設置する場合は、アクリル板を頻繁に消毒作業しなければならないが、透視カバー５０は随時新しいものと交換するので、そのような面倒な作業が発生しない。使用済の透視カバー５０は定められた方法に従い廃棄処分する。
【００２６】
図５および図６は本考案の第２実施形態を示すもので、図５に示す飛沫防止スタンドＳ２は、受付カウンター（対面カウンター）２に設置されている。図５に示す飛沫防止スタンドＳ２は、図１に示す飛沫防止スタンドＳ１より高さがやや高く、立ち姿勢で応対する受付カウンターの設置に向いている。
【００２７】
飛沫防止スタンドＳ２は、スタンド本体２０とフィルム状透視カバー５０を備えている。スタンド本体２０は左右の支柱２１、２１と、左右の支柱２１、２１の上端間に架設される水平部材２２と、左右の支柱２１、２１を受付カウンター２の上面に安定姿勢に保持する支持部２３を備えている。支持部２３は、左右の支柱２１、２１の下端間に連結された水平部材２４と、水平部材２４の下面に取付けられた薄板状の支持板２５と、左右一対の補強材２６を備えている。
【００２８】
支持板２５は、水平部材２４から前方に延びる支持片２５ａと、後方に大きく延びる延長部２５ｂを備えている。延長部２５ｂの上面には機器を載置する載置面２７が形成されている。載置面２７には受付カウンター２の受付業務に使用する機器（会計用レジ機器、ＰＣ端末機器、プリンター機器など）を載置可能である。
【００２９】
スタンド本体２０の大きさは、一例として高さ（ｈ）１０３ｃｍ×幅（ｗ）６１ｃｍ×長さ（支持板２５の長さｄ）２３ｃｍに設定されている。ただし、大きさは適宜変更可能である。スタンド本体１０は、木材で製作するが、素材は木製に限らず、合成樹脂製、アルミニウムなどの金属製とすることが可能である。
【００３０】
スタンド本体２０に対し、フィルム状透視カバー５０を被せると、受付カウンター２の上面との間に対面業務用の対面開口部６０が形成されるので、カウンター２の内側から飛沫防止スタンドＳ２越しに受付し、対面開口部６０を通して金銭やレシートなどの受け渡しを行うことができる。
【００３１】
図７は、本考案の第３実施形態を示すもので、図７に示す飛沫防止スタンドＳ３は、合成樹脂製のスタンド本体３０と、フィルム状透視カバー５０を備えている。
【００３２】
スタンド本体３０は、左右の合成樹脂製のパイプ状の支柱３１、３１と、左右の支柱３１、３１の上端間に合成樹脂製のパイプ状の連結部材３４を介して架設される合成樹脂製のパイプ状の水平部材３２と、左右の支柱３１、３１を対面カウンター１の上面に安定姿勢に保持する合成樹脂製のパイプ状の支持部３３を備えている。支持部３３は、左右の支柱３１、３１の下端に合成樹脂製のパイプ状の連結部材３５を介して連結され、前後方向に延びている。
【００３３】
スタンド本体３０の大きさは、一例として高さ（ｈ）９０ｃｍ×幅（ｗ）６１ｃｍ×長さ（支持部３３の長さｄ）２３ｃｍに設定されている。ただし、大きさは適宜変更可能であり、パイプ状の支柱３１、水平部材３２の長さを変更し、連結部材３４を利用して連結することで、スタンド本体３０の大きさを容易に調整可能可能である。
【００３４】
図８は、本考案の第４実施形態を示すもので、図７に示す飛沫防止スタンドＳ３の変形例である。図８に示す飛沫防止スタンドＳ４は、図７に示すパイプ状の支柱３１に合成樹脂製のパイプ状の連結部材４２を介して合成樹脂製のパイプ状の補助支柱４１が連結され、また、合成樹脂製のパイプ状の水平部材３２に合成樹脂製のパイプ状の連結部４３を介して合成樹脂製のパイプ状の水平部材３２が連結され、これにより、図７のスタンド本体３０よりもサイズの大きいスタンド本体４０に形成されている。
【００３５】
また、図８に示すフィルム状透視カバー５２は、スタンド本体４０のサイズに合わせて大きいサイズのものが用いられる。一例として、高さ１００ｃｍ×幅９０ｃｍ、高さ１２０ｃｍ×１１０ｃｍのものが適している。市販の９０Ｌや１２０Ｌのポリエステル袋を使用可能である。
【００３６】
図９は、本考案の第５実施形態を示すもので、図２に示すスタンド本体１０を一組用意し、互いに連結した例である。図９に示す飛散防止スタンドＳ５は、一組のスタンド本体１０、１０の隣接する支柱１１、支柱１１間に連結部４５が設けられ、連結部４５により、一組のスタンド本体１０、１０が左右に連結されている。
【００３７】
連結部４５は、図９の拡大円Ａに示すように、一方の支柱１１に取付けられた係止凹部４６に対し、他方の支柱１１に取付けられた係止凸部４７が係止されるようになっている。連結部４５は、係止凹部４６、係止凸部４７のどちらか一方を弾性変形可能なゴム部材から構成することにより、ゴム部材を弾性変形させて着脱させる構造とすることができる。
【００３８】
図９に示すフィルム状透視カバー５４は、連結状態の一組のスタンド本体１０、１０のサイズに合わせて大きいサイズのものが用いられる。一例として、高さ８０ｃｍ×幅１３０ｃｍのポリエステル袋を自作してよい。
【００３９】
図９に示すように、スタンド本体１０を左右に一組、あるいは３台以上連結することによって、飛沫防止スタンドＳ５を長尺なものとすることができる。長尺なカウンター、例えば、市役所や町役場の受付カウンターへの設置に好適である。
【００４０】
フィルム状透視カバー５０〜５４は、市販のポリエステル袋として、容量が１０Ｌ（５０ｃｍ×４０ｃｍ）、２０Ｌ（６０〜６５ｃｍ×４８〜５２ｃｍ）、３０Ｌ（７０ｃｍ×５０ｃｍ）、４５Ｌ（８０ｃｍ×６５ｃｍ）、７０Ｌ（９０ｃｍ×８０ｃｍ）、９０Ｌ（１００ｃｍ×９０ｃｍ）、１２０Ｌ（１２０ｃｍ×１１０ｃｍ）の各サイズを使用可能である。スタンド本体はフィルム状透視カバーのサイズに合わせて大きさを調整可能である。フィルム状透視カバーは下端部をカットすることにより対面開口部の高さを調整可能である。
【００４１】
本考案の飛沫防止スタンドは、飲食店などのテーブルに設置して飲食時の飛沫防止を図ることもできる。例えばラーメン店などはカウンターの前に横長のテーブルが設置され、また、コーヒー店などは窓際に横長のテーブルが設置されている場合が多い。これらのテーブルには客用の椅子が一定間隔で並んでおり、テーブルの上面に仕切り板を兼ねて本考案の飛沫防止スタンドを一定間隔で設置することにより、来店客は安心して飲食を楽しむことができる。
【００４２】
飲食店などのテーブルに設置する飛散防止スタンドに使用するフイルム状カバーは透明に限らず、半透明あるいは色付き（灰白色）であってもよい。スタンド本体に装着するフィルム状カバーはポリエステル製の規格袋（３４ｃｍ×４８ｃｍ×０．０３ｍｍ、３６ｃｍ×５０ｃｍ×０．０３ｍｍ、４０ｃｍ×５５ｃｍ×０．０３ｍｍなど）を用いることができる。
【００４３】
本考案の飛沫防止スタンドによると、以下のような効果を奏する。
【００４４】
（１）薬局における投薬カウンターや受付カウンター、病院や各種施設における受付カウンター、あるいは飲食店などのテーブルに本考案に係る飛沫防止スタンドを設置することにより、従事者、訪問者、来訪客への飛沫防止ひいてはウイルスの感染防止を有効に図ることができる。
【００４５】
（２）フィルム状透視カバーは、市販のポリエステル袋を代用可能であり、毎日交換することができ、アクリル板のように頻繁に消毒作業を行う必要がなく、医療事業者や事務業務者の負担を減らすことができる。
【００４６】
（３）スタンド本体は簡易に製作することができ、また、フィルム状透視カバーは耐久性に優れまた破れにくい市販のポリエステル袋を利用できるので、飛沫防止効果の高いスタンドを安価な費用で製作することができる。
【００４７】
本考案の飛沫防止スタンドは、薬局の投薬カウンターや受付カウンター、病院、市役所、ホテル、駅、銀行、郵便局などの受付または窓口カウンター、飲食店などのテーブルに設置して飛沫防止を図ることができる。
【００４８】
かくして、本考案に係る飛沫防止スタンドによれば、飛沫防止効果が高く、使い勝手に優れた飛沫防止スタンドを、安価な費用で提供することができるようになった。
【産業上の利用可能性】
【００４９】
本考案に係る飛沫防止スタンドは、ウイルスなどの飛沫や拡散を防止する飛沫防止スタンドとして広く利用できる。
【符号の説明】
【００５０】
１  投薬カウンター（対面カウンター）
２  受付カウンター（対面カウンター）
１０、２０、３０、４０  スタンド本体
１１、２１、３１  支柱
１２、２２、３２  水平部材
１３、２３、３３  支持部
１４  脚部材
１５  補強材
２４  水平部材
２５  支持板
２５ａ  支持片
２５ｂ  延長部
２６  載置面
３４、３５、４２  連結部材
４１  補助支柱
４５  連結部
４６  係止凹部
４７  係止凸部
５０、５２、５４  フィルム状透視カバー
５１  開口部
６０  対面開口部
Ｓ１、Ｓ２、Ｓ３、Ｓ４、Ｓ５  飛沫防止スタンド
【図１】
0003227488.tif 000003
【図２】
0003227488.tif 000004
【図３】
0003227488.tif 000005
【図４】
0003227488.tif 000006
【図５】
0003227488.tif 000007
【図６】
0003227488.tif 000008
【図７】
0003227488.tif 000009
【図８】
0003227488.tif 000010
【図９】
0003227488.tif 000011